(57)【要約】【課題】  壁や家内部を壊したり、家財道具を動かすような生活環境の変化を必要とすることなく、外部工事と天井裏の工事だけで木造家屋の耐震性を根本的に向上させることができる木造家屋の耐震補強工法を提供する。【解決手段】  各補強金具を用いて木造軸組みの各接続部分を、地震の揺れを緩衝する可曲部のある下部アングルプレート４と、クレセント金具５と、上部アングルプレート８と、蝶形金物９と、下部中間プレート１１と、下部内側プレート１２と、中間柱用上部プレート１３と、裏当て金具１４等の各補強金具を用いて結合することによる補強と、外壁面への筋交い１５の張設、対角位置の隅柱１間における水平の筋交いワイヤロープ１６の張設、相互に対面する中間柱１０間のワイヤロープ１７の直引きの張設、内側ロープ１８による隅柱１のＸＹ方向の締付けにより、木造軸組みの内部から外部への膨張力を極めて強くすることができ、各柱と梁や床との外れや地震の揺れから起こる柱抜けや木組みの外れ、家形の斜め崩れからくる柱の折れを各プレートの機材を相互一体化して座屈を防ぐ。【選択図】図１
2005344492.tif 000002
【特許請求の範囲】
【請求項１】
木造建築の基礎から土台や隅柱の外部より、隅柱用下部プレートを内部床下部からクレセント金物で締付け、また、隅柱の梁や二階床下部の外部から外部上部アングルプレートと、それに合わせて、一階天井裏には、蝶形金物と隅柱を貫通する長いねじにて固定し、このねじの先端に螺合したアイナットにて、同層の対角隅柱間に水平交差するロープを張設し、また、中間柱の基礎や土台中間柱に中間柱用下部プレートを、床下から中間柱用内部プレートを沿わせ、更に、二階張床下天井裏相当部位に中間柱用外部プレートをその内部側には中間柱用内部プレートを沿わし、何れの上下内外プレートは、柱を抱く如く締め合い、加えて蝶形金物を用いて隅柱間の内部ＸＹ方向をロープによって、隅柱や二階梁を締め、また、対面する中間柱間もロープにて相互直引きすると共に、ＸＹ方向のロープを途中にて拘束し、一方、外部隅柱用アングルプレートと知友間プレートの上下には、縦の筋交いを施し、これらによって、地震の揺れからくる柱の抜けや柱と梁の外れ、木組みの離脱，家形の斜めくずれから柱の折れや座屈を防ぐ木造家屋の耐震補強工法。
【請求項２】
木造建築の各隅柱に外部より二面に沿わせて固定するアングルプレートの直角に折れ曲がる両側のプレートに、基礎と土台や隅柱等に対する取付け孔を設け、この両側プレートの途中で両側の位置に、両側の外縁に向けて広がるテーパ状の可曲部を設け、両側プレート間の上部が切れ目によって切り離されている木造家屋の耐震補強工法用補強金具。
【請求項３】
木造建築の中間柱に外部より固定する中間プレートに、基礎と土台や梁及び中間柱等に対する取付け孔を設け、この中間プレートの途中で両側の位置に、両側の外縁に向けて広がるテーパ状の可曲部を逆テーパの配置で設け、この中間プレートの途中に、互に相反する面側へ水平に屈曲する厚み方向の可曲部を設けた木造家屋の耐震補強工法用補強金具。
【請求項４】
木造建築の各隅柱に対して、梁や二階床下部の一階天井裏や二階天井裏の位置に内面側から沿わせて固定する蝶形金具の両側に、ＸＹ方向の隅柱間に張設する内側引っ張りロープの結合部を設け、前記蝶形金具のコーナ部分の外面側に、隅柱を貫通させてこの蝶形金具を隅柱に固定するためのねじに螺合したナットを受ける締結座を設け、その先端にアイナットを螺合し、対角柱間を水平筋交いロープで締定する木造家屋の耐震補強工法用補強金具。
【請求項５】
木造建築の壁面の外部に沿わせ、土台や基礎と柱にそれぞれ締結具で固定するプレートと、柱に締結具で固定する十字金具とからなり、前記プレートの柱と対応する位置に、柱に固定した十字金具に遊嵌する孔を設け、このプレートの外面で十字金具の上下の位置に設けたばね受けと十字金具の間にばねを縮設し、前記プレートと壁面の間に滑り板を介在させ、揺れを緩衝すると共に柱の抜けを防止する木造家屋の耐震補強装置。
【発明の詳細な説明】
【技術分野】
【０００１】  この発明は、既設の木造家屋に耐震性を導入するための耐震補強工法と、この工法の実施に用いる補強金具及び柱抜け防止装置に関する。
【背景技術】
【０００２】  一般的に木造家屋は、地中に構築した基礎上に土台を配置し、その上に柱を主体とする軸組構造を組み立て、柱間の中間や上端間に梁を設けて周囲に壁部を構築すると共に、柱間の上端に屋根組みを設けた構造になっている。【０００３】  このような、木造家屋は、常時において、木組みにおける柱と梁等のつなぎが、埋め込みや楔，かすがい、鉄金物による局部補強などで、揺れに対して相互に離れないように工夫され、また、柱と梁等は、垂直荷重に対して柱が傾斜しないかぎり十分に対応している。【０００４】  ところで、木造家屋の木組みは、双方の相対する柱や横梁、床張りにより、外部から内部への圧縮力に対する反力に強いが、内部から外部への膨張力には弱いため、地震による横揺れや上下の揺れを受けると、それぞれの木組みの部分に家具等の重量が加わり、異なる固有慣性でバラバラに揺れ、柱と梁等の結合部が上下左右に抜けたり損傷し、加えて、筋交いの不備や建物に散在している偏荷重等により柱に折れが生じ、また、柱が土台から抜けると建物の下部が脚払いを食らい、特に、木組みにホゾのある一階と二階の接合部の柱は強度的に弱く、損傷して折れやすく、この部分からの建物全体の座屈や損傷にいたることになることは、先の阪神大震災による木造家屋の倒壊例からも明らかである。【０００５】  従来、このような地震に対して極めて弱い構造である木造家屋の耐震性を向上させる改造方法は、木組みにおける柱と梁などのつなぎ部分を別途鉄金物等で局部的に補強したり、筋交いの数を増やすような周壁の改造や、室内壁部の増設や移設による内部工事によって行われている。
【発明の開示】
【発明が解決しようとする課題】
【０００６】  しかし、上記のような周壁の改造は、筋交い１本を増やすにしても、壁や部屋内部を壊す必要があり、壊した壁や部屋内部を再修復して元通りにしなければならないし、復元のために手間と時間がかかり、このため実施は容易ではなく、新築の場合はともかく、既存の家屋に対する耐震性の向上には難かある。【０００７】  また、内部工事による方法は、新たな壁を設けたり、間取りを変えるために家財道具を動かし、生活換気用の変化をもたらすことになり、相当な決意と家族の同意を要し、加えて、工事期間の長期かと多額の費用必要とするという問題がある。【０００８】    そこで、この発明の課題は、壁や家内部を壊したり、家財道具を動かすような生活環境の変化を必要とすることなく、外部工事と天井裏の工事だけで木造家屋の耐震性を根本的に向上させることができ、しかも、短期間でコスト的にも安価に施工できる木造家屋の耐震補強工法とこの工法に用いる補強金具を提供することにある。
【課題を解決するための手段】
【０００９】  上記のような課題を解決するため、請求項１の発明は、木造建築の基礎から土台や隅柱の外部より、隅柱用下部プレートを内部床下部からクレセント金物で締付け、また、隅柱の梁や二階床下部の外部から外部上部アングルプレートと、それに合わせて、一階天井裏には、蝶形金物と隅柱を貫通する長いねじにて固定し、このねじの先端に螺合したアイナットにて、同層の対角隅柱間に水平交差するロープを張設し、また、中間柱の基礎や土台中間柱に中間柱用下部プレートを、床下から中間柱用内部プレートを沿わせ、更に、二階張床下天井裏相当部位に中間柱用外部プレートをその内部側には中間柱用内部プレートを沿わし、何れの上下内外プレートは、柱を抱く如く締め合い、加えて蝶形金物を用いて隅柱間の内部ＸＹ方向をロープによって、隅柱や二階梁を締め、また、対面する中間柱間もロープにて相互直引きすると共に、ＸＹ方向のロープを途中にて拘束し、一方、外部隅柱用アングルプレートと知友間プレートの上下には、縦の筋交いを施し、これらによって、地震の揺れからくる柱の抜けや柱と梁の外れ、木組みの離脱，家形の斜めくずれから柱の折れや座屈を防ぐ構成を採用したものである。【００１０】  請求項２の発明は、木造建築の各隅柱に外部より二面に沿わせて固定するアングルプレートの直角に折れ曲がる両側のプレートに、基礎と土台や隅柱等に対する取付け孔を設け、この両側プレートの途中で両側の位置に、両側の外縁に向けて広がるテーパ状の可曲部を設け、両側プレート間の上部が切れ目によって切り離されている構成を採用したものである。【００１１】上記両側プレートの上部側方には筋交い用の結合孔があり、隅柱の内側には外部の下部アングルプレートに対応するクレセント金物がボルトにより固定されることになる。【００１２】  請求項３の発明は、木造建築の中間柱に外部より固定する外部用下部中間プレートに、基礎と土台や梁及び中間柱等に対する取付け孔を設け、この外部用下部中間プレートの途中で両側の位置に、両側の外縁に向けて広がるテーパ状の可曲部を逆テーパの配置で設け、この外部用下部中間プレートの途中に、互に相反する面側へ水平に屈曲する厚み方向の可曲部を設けた構成を採用したものである。【００１３】  上記外部用下部中間プレートの上部側方には、縦筋交いを結合する取り付け孔が設けられ、また、中間柱の内側にも、外部用下部中間プレートと対応する位置に同様の構造の内部用下部プレートが設けられ、中間柱を挟むようにして外部用下部プレートと互いに締結されるようになっている。【００１４】  請求項４の発明は、木造建築の各隅柱に対して、梁や二階床下部の一階天井裏や二階天井裏の位置に内面側から沿わせて固定する蝶形金具の両側に、ＸＹ方向の隅柱間に張設する内側引っ張りロープの結合部を設け、前記蝶形金具のコーナ部分の外面側に、隅柱を貫通させてこの蝶形金具を隅柱に固定するためのねじに螺合したナットを受ける締結座を設け、その先端にアイナットを螺合し、対角柱間を水平筋交いロープで締定する構成を採用したものである。【００１５】  請求項５の発明は、木造建築の壁面の外部に沿わせ、土台や基礎と柱にそれぞれ締結具で固定するプレートと、柱に締結具で固定する十字金具とからなり、前記プレートの柱と対応する位置に、柱に固定した十字金具に遊嵌する孔を設け、このプレートの外面で十字金具の上下の位置に設けたばね受けと十字金具の間にばねを縮設し、前記プレートと壁面の間に滑り板を介在させ、揺れを緩衝すると共に柱の抜けを防止する構成を採用したものである。
【発明の効果】
【００１６】  この発明によると、木造家屋の各隅柱に外部から沿わせて基礎から土台の位置に下部アングルプレートを固定し、梁や二階床下の一階天井裏や二階天井裏の位置に貫入した長いねじにて上部アングルプレートを固定し、前記ねじの先端に螺合したアイナットにて同層の対角隅柱間に水平のロープ筋交いを張設し、相互に対面する中間柱に外部から沿わせて基礎から土台の位置に下部中間プレートを固定し、梁や二階床下下部の一階天井裏や二階天井裏の位置に上部中間プレートを固定し、この上部中間プレートの対面する中間柱間をロープで直線引きし、一方、隅柱間のＸＹ方向の隅柱とのロープによる家形の総締め付けなどと、外部壁面に施す筋交いの設置を行うようにしたので、柱と梁や床との外れ地震の揺れから起こる柱抜けや木組みの外れ、家形の斜め崩れからくる柱の折れや座屈を防ぐことができ、木造家屋の耐震性を大幅に向上させることができる。【００１７】  また、蝶形金物により、建物構造の内部において、ＸＹ方向をロープで締め付け、このロープの途中を中間柱の裏当て金具にて、ロープの揺れを防ぐようにキャッチするようにしたので、建物を包括して一体化することができ、しかも、隅柱の下部と上部のアングルプレートと、中間柱の同じく下部と上部のアングルプレートの両端部にある筋交い又はバー用の孔から、相互に縦の大きく長い効果のある筋交い又は外部より設置することができ、これらにより、家の方形を保ち。座屈を防ぐことができる。【００１８】  また、請求項５の柱抜け防止装置によると、地震による振動で土台に対して柱が上下動するのを上下のばねで緩衝し、柱が土台から抜けるのを有効に防止することができると共に、滑り板の介在により、壁の外面に損傷を生じさせることがない。
【発明を実施するための最良の形態】
【００１９】  以下、この発明の実施の形態を図示例に基づいて説明する。【００２０】  図１は、この発明の耐震補強工法を実施した概略的な説明図であり、長方形の独立家屋の例を示している。【００２１】  この耐震補強工法に用いる補強金具の種類は、木造家屋の各隅柱１の外部に沿わせて基礎２から土台３の位置に固定する下部アングルプレート４と、各隅柱１の内側で下部アングルプレート４と対応する位置に固定する裏当て用のクレセント金具５と、各隅柱１の外部に沿わせて梁６や二階床７の天井裏の位置に固定する上部アングルプレート８と、隅柱１の内側で上部アングルプレート８と対応する位置に固定する蝶形金物９と、中間柱１０の外部に沿わせて基礎２から土台３の位置に固定する下部中間プレート１１と、中間柱１０の内側で下部中間プレート１１と対応する位置に固定する下部内側プレート１２と、中間住１０の外部に沿わせて梁６や二階床７の天井裏の位置に固定する中間柱用上部プレート１３と、中間柱１０の内側で上部プレート１３と対応する位置に固定する裏当て金具１４とからなる。【００２２】  この耐震補強工法は、上記した各補強金具を隅柱１及び中間柱１０等に固定すると共に、対角位置にある、下部アングルプレート４と中間柱上部プレート１３間、下部中間プレート１１と上部アングルプレート８間を傾斜状の筋交い１５で結合し、各対角位置にある隅柱１間に水平のワイヤロープ１６を張設し、対面する中間柱１０間をワイヤロープ１７で直線引きし、更に、各隅柱１間の内側ＸＹ方向に内側ロープ１８を張設し、この内側ロープ１８の途中を前記裏当て金具１４でクランプするようになっている。【００２３】  上記下部アングルプレート４は、図２のように、鉄やステンレス等で柱を抱いて合成強化柱とし、隅柱１に外部から二面に沿わせて固定する両側のプレート１９が直角に折れ曲がり、両側のプレート１９に、基礎２と土台３及び隅柱１にそれぞれボルト（図示省略）で固定する取り付け孔２０を上下に並べて設け、前記両プレート１９の途中に、外縁に向けて広がるテーパ状の可曲部２１を設け、両プレート１９の外縁で可曲部２１よりも上位の位置に、ボルトやピンによる筋交い１５の結合孔２２が設けられ、両プレート１９間の上部が切れ目２３によって切り離された構造になっている。【００２４】  上記両プレート１９は、切れ目２３によって切り離された上部に可撓性が付与され、テーパ状の可曲部２１は、図２において、隅柱１が左へ傾けば左側プレート１９の可曲部２１が縮み、右側プレート１９の可曲部２１が伸び、隅柱１の左右の揺れに対して両側の可曲部２１は互いに相反する作用をにし、隅柱１の傾きを緩衝することになり、隅柱１が元に戻れば、鉄やステンレス等の剛性により、両可曲部２１は復元する。【００２５】  各隅柱１の内側で下部アングルプレート４と対応する位置に固定する裏当て用のクレセント金具５は、図３のように、鉄やステンレス等を用い、基礎２と土台３の内側コーナ部分に沿わせる直角の下部プレート２４と、この下部プレート２４の上端に土台３上に重なるよう設けた水平板２５と、水平板２５上に起立し、隅柱１の内側二面に重なる直角の上部プレート２６からなり、下部プレート２４には、基礎２と土台���にそれぞれボルトで固定する取り付け孔２７を上下に並べて設け、上部プレート２６に、隅柱１へボルトで固定するための取り付け孔２８を設けた構造になっている。【００２６】  上記上部アングルプレート８は、図４のように、鉄やステンレス等を用い、隅柱１に外部から二面に沿わせて固定する両側のプレート２９が直角に折れ曲がり、両側のプレート２９の下部と上部に、隅柱１にボルトで固定する取り付け孔３０を設け、両側のプレート２９の中間で両プレート２９の屈曲コーナ部分に、隅柱１の対角位置を外部から内側に貫通させる長いねじ３１の挿通孔３２が設けられ、前記両プレート２９の途中に、外縁に向けて広がるテーパ状の可曲部３３を設け、両プレート２９の上端部で外縁の位置に二階用筋交い１５ａの結合孔３４が設けられ、両プレート２９の下部外面に筋交い１５の結合用ヒンジ３５が溶接され、更に、両プレート２９間の上部が切れ目３６によって切り離された構造になっている。【００２７】  この上部アングルプレート８も、下部アングルプレート４と同様に、テーパ状の可曲部３３と切れ目３６によって、両プレート２９の上部に可撓性が生じることになる。【００２８】  上記隅柱１の内側で上部アングルプレート８と対応する位置に固定する蝶形金物９は、図５と図６のように、隅柱１の内側二面に沿わせる直角プレート３７の上下に隅柱１にボルトで固定する取り付け孔３８を設け、この直角プレート３７の両側に折り返しプレート３９を設け、この折り返しプレート３９の先端部に外方へ屈曲する張り出しプレート４０を設け、両側直角プレート３７の先端間に、隅柱１の対角位置を外部から内側に貫通させた長いねじ３１のナット４１を受ける締結座４２が設けられ、このねじ３１により上部アングルプレート８とで隅柱１を挟むように固定され、前記張り出しプレート４０には、隅柱１間のＸＹ方向に張設する内側ロープ１８の結合部４３が設けられている。【００２９】  上記長いねじ３１の先端には、対角位置の隅柱１間に水平のワイヤロープ１６を張設するためのアイナット４４が螺合されている。【００３０】上記中間柱１０の外部に沿わせて基礎２から土台３の位置に固定する下部中間プレート１１は、図７のように、鉄やステンレス等を用い、下部が広幅で上部が狭くなる上下に長い略五角形に形成され、下部の両側に基礎２と土台３にそれぞれボルトで固定する取り付け孔４５を上下に並べて設け、中央部の上下に中間柱１０にボルトで固定する取り付け孔４６を上下に並べて設け、中間部の両側に筋交い１５の結合孔４７が設けられている。【００３１】  また、下部中間プレート１１の途中で両側の位置に、両側外縁に向けて広がるテーパ状の可曲部４８を逆テーパの配置で設け、更に、下部中間プレート１１の途中で可曲部４８の下部位置に、互に油相反する面側へ水平に屈曲する厚み方向への可曲部４９を設け、下部中間プレート１１の上部に、前記したテーパ状の可曲部４８で幅方向への可撓性と、面方向の可曲部４９で面方向の可撓性を付与している。【００３２】  上記中間柱１０の内側で下部中間プレート１１と対応する位置に固定する下部内側プレート１２は図８のように、下部中間プレート１１と略同様の構造を有するので、下部中間プレート１���と同一部分に同一符号を付して説明に代える。【００３３】  上記中間柱１０の外部に沿わせて梁や二階床の天井裏の位置に固定する中間柱上部プレート１３は、図９のように、鉄やステンレス等を用い、上下に長い略矩形状に形成され、中央部の上下に中間柱１０にボルトで固定する取り付け孔５０を上下に並べて設け、中間部に、上記した下部中間プレート１１と同様、両側外縁に向けて広がるテーパ状の可曲部４８と、互に油相反する面側へ水平に屈曲する厚み方向への可曲部４９が設けられ、下端部の両側に筋交い１５の結合用ヒンジ５１が溶接され、上端部の両側に二階用筋交い１５ａの結合孔５２が設けられている。【００３４】  この中間柱上部プレート１３も、上部に前記したテーパ状の可曲部４８で幅方向への可撓性と、面方向の可曲部４９で面方向の可撓性を付与している。【００３５】  前記中間柱１０の内側で上部プレート１３と対応する位置に固定する裏当て金具１４は、図１０と図１１のように、鉄やステンレス等を用い、上下に長い略矩形状に形成され、上下に中間柱１０にボルトで固定する取り付け孔５３を上下に並べて設け、略中央位置に、中間柱上部プレート１３から中間柱１０を貫通させた通しボルト５４の挿通孔５５が設けられ、この通しボルト５４には、ナット５６の締付けによって、隅柱１間に張設したＸＹ方向の内側ワイヤロープ１６の途中をキャッチして安定を保ち、内側ワイヤロープ１６の弛みを無くすための押さえ金具５７が取り付けられ、更に、通しボルト５４の先端に、対面位置の中間柱１０間に水平のワイヤロープ１７を張設するためのアイナット５８が螺合されている。【００３６】  図１２と図１３は、柱抜け防止装置６１の構造を示し、土台３や基礎２と隅柱１にそれぞれ、ねじ等の締結具６２で固定する上下に長いプレート６３と、隅柱１や中間柱１０にねじ等の締結具６４で固定する十字金具６５とからなり、前記プレート６３の隅柱１と対応する位置に隅柱１へ固定した十字金具６５に遊嵌する孔６６を設け、このプレート６３の外面で十字金具６５の上下の位置に設けたばね受け６７と十字金具６５の間にばね６８を縮設し、前記プレート６３と外壁１ａの外面の間にＰＰ等の合成樹脂板からなる滑り板６９を介在させている。【００３７】  上記プレート６３を土台３や基礎２と隅柱１に固定するため、このプレート６３に設ける締結具６２の孔６６は、上下の長孔になっていると共に、上記十字金具６５は、円形大径部７０の前面に筒軸７１を突設し、この筒軸７１にばね受け軸７２を上下に突出するよう外嵌し、筒軸７１から円形大径部７０を貫通する取り付けねじ６４で隅柱１に固定するものであり、外壁１ａから隅柱１には円形大径部７０が納まる凹孔７３が形成されている。【００３８】  上記プレート６３は基礎２や土台３に固定化され、十字金具６５は隅柱１や中間柱１０に固定化されており、地震による振動で基礎２や土台３に対して隅柱１が上下動するのを上下のばね６８で緩衝し、これによって、隅柱１が土台３から抜けるのを有効に防止することができると共に、プレート６３と外壁１ａの間に滑り板６９を介在させることにより、外壁１ａの外面に損傷を生じさせることがないようになっている。【００３９】  上記した柱抜け��止装置６１は、隅柱１以外に中間柱１０の何れにも使用することができる。【００４０】  次に、この発明の木造家屋の耐震補強工法を説明する。【００４１】  既設の木造建築において、図２のように、各隅柱１の下部に、外壁１ａの外面から隅柱１に沿わせて基礎２から土台３の位置に下部アングルプレート４と、隅柱１の内側から沿わせて基礎２から土台３の位置に裏当て用のクレセント金具５を、共通もしくは単独のボルトを用いて固定する。【００４２】  図４のように、隅柱１の外面で梁６や二階床７の一階天井裏や二階天井裏の位置に、上部アングルプレート８と、隅柱１の内側で上部アングルプレート８と対応する位置に蝶形金物９を、ボルト及び隅柱１を貫通する長いねじ３１で固定し、また、中間柱１０の下部に、外部に沿わせて基礎２から土台３の位置に固定する下部中間プレート１１と、中間柱１０の内側で下部中間プレート１１と対応する位置に固定する下部内側プレート１２を共通もしくは単独のボルトを用いて固定する。【００４３】  また、図９のように、中間柱１０の上部で、梁６や二階床７の一階天井裏や二階天井裏の位置に、中間柱上部プレート１３と、中間柱１０の内側で上部プレート１３と対応する位置に裏当て金具１４とを共通もしくは単独のボルトを用いて固定する。【００４４】  上記下部アングルプレート４と中間柱上部プレート１３、上部アングルプレート８と下部中間プレート１１を、それぞれに設けたヒンジ３５と５１間に外部壁面に沿う筋交い１５の張設によって結合し、対角位置の隅柱１間で上部アングルプレート８と蝶形金物９を貫通するながいねじ３１の先端間に、アイナット４４を用いて水平のワイヤロープ１６を張設する。【００４５】  上記筋交い１５の上端側は、図９のように、ヒンジ５１と締付けナット５９の間にスプリング６０を縮設し、揺れに対するゆとりがあるようになっている。【００４６】  また、相互に対面する中間柱１０間に、中間柱上部プレート１３と裏当て金具１４を貫通する通しボルト５４の先端間に、アイナット５８を用いて水平のワイヤロープ１７を張設し、対面する中間柱１０間を直線引きる。【００４７】  更に、隅柱１間の内部に、両端を蝶形金物９と結合することにより隅柱１のＸＹ方向を内側ロープ１８により引っ張って締付け、中間柱１０の内側に設けた裏当て金具１４の押さえ金具５７で、内側ロープ１８の途中を固定し、内側ロープ１８の弛みを無くすようにする。【００４８】  また、隅柱用外部の下部プレートや中間柱の下部プレートの側方には、縦筋交いバーの取り付け孔があり、また、それら上部プレートの下方には縦筋交いバーのねじ止まりかあり、これにより、縦筋交いバーは、先端のねじにスプリングを介入させて締め付ける。これにより、前述の柱の僅かな揺れに対応して、この筋交いバーも緊張して受け、地震の揺れを各プレートと共に緩衝する。【００４９】  なお、木造建築が二階建て以上の場合は、二階の二階天井裏の位置に、上部アングルプレート８、蝶形金物９、上部プレート１３、裏当て金具１４、筋交い１５ａ等を用いて上記と同様の補強を行うようにする。【００５０】  上記のような各補強金具を用いて木造軸組みの各接続部分を結合することによる補強と、外壁面への筋交���１５の張設、対角位置の隅柱１間における水平のワイヤロープ１６の張設、相互に対面する中間柱１０間のワイヤロープ１７の張設、内側ロープ１８による隅柱１のＸＹ方向の締付けにより、木造軸組みの内部から外部への膨張力を極めて強くすることができ、各柱と梁や床との外れや地震の揺れから起こる柱抜けや木造軸組みの外れ、家形の斜め崩れからくる柱の折れや座屈を防ぐことができ、かつ、木造軸組みの横方向のねじれ現象を防ぎ、揺れに対する自立性を高め、木造建築の耐震性を向上させることができる。【００５１】  また、柱の抜けや折損は、土台や四隅と知友間の通し柱の２階梁との彫り込み接合部に多くみられる。【００５２】  本プレートは、地震の左右の揺れに対してテーパー凸部や前後の揺れには水平の凹凸部を設け、勤続の曲がりや復旧を利用して物性形状によるショックアブソーバーとして緩衝し、また、通し柱と２階梁との彫り込み接合部などの局所破壊に対し、応力面積の広い上下に長いプレートに内外ともに抱き合わせて、局所破壊を防いでいる。
【図面の簡単な説明】
【００５３】
【図１】この発明に係る木造家屋の耐震補強工法を実施した木造建築の概略構造を示す二階部分での横断平面図
【図２】この発明に係る木造家屋の耐震補強工法に用いる補強金具である下部アングルプレートの使用状態を示す斜視図
【図３】この発明に係る木造家屋の耐震補強工法に用いる補強金具であるクレセント金具の使用状態を示す斜視図
【図４】この発明に係る木造家屋の耐震補強工法に用いる補強金具である上部アングルプレートの使用状態を示す斜視図
【図５】この発明に係る木造家屋の耐震補強工法に用いる補強金具である蝶形金物の使用状態を示す斜視図
【図６】この発明に係る木造家屋の耐震補強工法に用いる補強金具である上部アングルプレートと蝶形金物の使用状態を示す横断した斜視図
【図７】この発明に係る木造家屋の耐震補強工法に用いる補強金具である下部中間プレートの使用状態を示す斜視図
【図８】この発明に係る木造家屋の耐震補強工法に用いる補強金具である下部内側プレートの使用状態を示す斜視図
【図９】この発明に係る木造家屋の耐震補強工法に用いる補強金具である中間柱上部プレートの使用状態を示す斜視図
【図１０】この発明に係る木造家屋の耐震補強工法に用いる補強金具である中間柱上部プレートと裏当金具の使用状態を示す斜視図
【図１１】この発明に係る木造家屋の耐震補強工法に用いる補強金具である中間柱上部プレートと裏当金具の使用状態を示す縦断側面図
【図１２】この発明に係る木造家屋の耐震補強工法に用いる柱抜け防止装置の使用状態を示す斜視図
【図１３】（Ａ）は柱抜け防止装置の使用状態を示す縦断面図、（Ｂ）は十字金具の斜視図
【符号の説明】
【００５４】１        隅柱
２        基礎
３        土台
４        下部アングルプレート
５        クレセント金具
６        梁
７        二階床
８        上部アングルプレート
９        蝶形金物
１０      中間柱
１１      下部中間プレート
１２      下部内側プレート
１３      中間柱上部プレート
１４      裏当金具
１５      筋交い
１６      ワイヤロープ
１７      ワイヤロープ
１８      内側ロープ
１９      プレート
２０      取りつけ孔
２１      可曲部
２２      結合孔
２３      切れ目
２４      下部プレート
２５      水平板
２６      上部プレート
２７      取り付け孔
２８      取り付け孔
２９      プレート
３０      取り付け孔
３１      長いねじ
３２      挿通孔
３３      可曲部
３４      結合孔
３５      結合用ヒンジ
３６      切れ目
３７      直角プレート
３８      取り付け孔
３９      折り返しプレート
４０      張り出しプレート
４１      ナット
４２      締結座
４３      結合部
４４      アイナット
４５      取り付け孔
４６      取り付け孔
４７      結合孔
４８      可曲部
４９      可曲部
５０      取り付け孔
５１      結合用ヒンジ
５２      結合孔
５３      取り付け孔
５４      通しボルト
５５      挿通孔
５６      ナット
５７      押さえ金具
５８      アイナット
６１      柱抜け防止装置
６２      締結具
６３      プレート
６４      締結具
６５      十字金具
６６      孔
６７      ばね受け
６８      ばね
６９      滑り板
７０      円形大径部
７１      筒軸
７２      ばね受け軸
７３      凹孔
【図１】
2005344492.tif 000003
【図２】
2005344492.tif 000004
【図３】
2005344492.tif 000005
【図４】
2005344492.tif 000006
【図５】
2005344492.tif 000007
【図６】
2005344492.tif 000008
【図７】
2005344492.tif 000009
【図８】
2005344492.tif 000010
【図９】
2005344492.tif 000011
【図１０】
2005344492.tif 000012
【図１１】
2005344492.tif 000013
【図１２】
2005344492.tif 000014
【図１３】
2005344492.tif 000015